(57)【要約】【課題】装着時に本の表紙を変形・破損させることを防止し、迅速かつ容易で永続的なセット方法を有するブックカバーの提供を目的とする。【解決手段】ブックカバーは、所定サイズの書籍の表紙部の面積に対応する矩形カバー部と、横方向の両端に表紙か裏表紙のいずれか一方を挿入できるポケット体とを設けたブックカバーで、少なくとも一方のポケット体が、矩形カバー部から表紙部の横方向に延出して形成され、表紙部の横方向長さを越えた位置で表紙部側に折り返し可能な余剰部と、表紙か裏表紙のいずれかの上下両端と折り返された前記余剰部の上下両端とを狭持係止するために矩形カバー部の上下両端にそれぞれ少なくとも一辺が接合された一対の挟持体から構成されている。【選択図】図１
2020082711.tif 000002
【特許請求の範囲】
【請求項１】
所定サイズの書籍の表紙部の面積に対応する矩形カバー部と、横方向の両端に表紙か裏表紙のいずれか一方を挿入できるポケット体とを設けたブックカバーで、少なくとも一方の前記ポケット体が、前記矩形カバー部から前記表紙部の横方向に延出して形成され、前記表紙部の横方向長さを越えた位置で前記表紙部側に折り返し可能な余剰部と、表紙か裏表紙のいずれかの上下両端と折り返された前記余剰部の上下両端とを狭持係止するために前記矩形カバー部の上下両端にそれぞれ少なくとも一辺が接合された一対の挟持体から構成されていることを特長とするブックカバー。
【請求項２】
請求項１に記載のブックカバーにおいて、前記余剰部に折り曲げ誘導線が設けられたことを特徴とするブックカバー。
【請求項３】
請求項１または請求項２に記載のブックカバーにおいて、前記挟持体が容易に反ることが無い剛性を備えていることを特徴とするブックカバー。
【請求項４】
請求項１または請求項２または請求項３に記載のブックカバーにおいて、前記挟持体が前記表紙部側に押圧するクリップ性を備えていることを特徴とするブックカバー。
【発明の詳細な説明】
【技術分野】
【０００１】  本発明は、書籍の表紙部を保護するためのブックカバーに関し、特に、装着時に本の表紙を変形・破損させることを防止し、迅速かつ容易で永続的な装着方法を有するブックカバーに関する。
【背景技術】
【０００２】  電車や公共スペースなどで読書する際に、どんな本を読んでいるかを他人から判読できないよう、また書籍に傷や汚れが付かないようブックカバーを装着する読書家は多い。【０００３】ブックカバーとは、書籍の表表紙と裏表紙と背表紙（これらを合わせて表紙部と言う。）の面積に対応した布やビニール、紙製などでできており、両サイドには表紙または裏表紙のいずれかを挿入できるポケット状収容スペースが設けられているものが一般的である。
さらに本の厚みに対応させるため、余剰部を折り返し、帯に差し込むことでポケット状収容スペースの幅が可変できるタイプとして、例えば特許文献１に示すようなものが提案されている。【０００４】このブックカバーは本の表表紙から背表紙を経て裏表紙までを被うブックカバーであって、カバーの本体シートの裏面の一端側に表表紙と裏表紙の何れか一方を挿入させるための表紙差込用ポケット部を設け、本体シートの裏面の途中位置には残る他方の表紙を挿通させるための表紙挿通用帯部を設け、また本体シートの他端側には他方の表紙を越える部分を表紙の裏側へ折り曲げて表紙挿通用帯部に差し込み、係止するための折り曲げ用余剰部を設けたもので、厚みの異なる書籍に対応できるようにしたものである。【０００５】また、折り返し部分を固定させる方法として、粘着テープを使用したタイプとして例えば特許文献２に示すようなものが提案されている。【０００６】このブックカバーはおもて表紙カバー部の内面側にポケットを設けるとともに、おもて表紙カバー部の反対側に背表紙カバー部を介して裏表紙カバー部を一連に設け、さらに裏表紙カバー部の外側に折り返し部を延長して設け、その裏表紙カバー部の内面側に使用者が使用を開始する際に容易に切り離して分割可能な溝筋を中央部に有してその上下両端をそれぞれ裏表紙カバー部の上縁部と下縁部に接続した押止板７を設けるとともに、折り返し部を押止板の上に折り重ねた状態で両者を固定可能とする粘着テープを折り返し部の内面側に貼着したもので、本に対し容易に無理なく装着することができて、ブックカバー自体や本の表紙の破損を防止することができるようにしたものである。
【先行技術文献】
【特許文献】
【０００７】
【特許文献１】特開２００３−７２２６１
【特許文献２】実願２００１−１０２６
【発明の概要】
【発明が解決しようとする課題】
【０００８】  特許文献１に開示のブックカバーは、書籍の表紙または裏表紙を表紙挿通用帯部のループに差し込む必要があるため、表紙挿通用帯部の内側の縦の長さが表紙部の縦の長さとほぼ同じであった場合は差し込む際に表紙または裏表紙の上下端が擦れて傷がつく場合がある。また表紙または裏表紙を表紙差込用ポケット部に挿入した後、表紙または裏表紙のもう片方を表紙挿通用帯部の間に差し込む場合には、書籍が半固定されているためと表紙挿通用帯部と半固定された書籍までの横方向距離が短く、表紙または裏表紙の用紙を相当大きく撓ませながら差し込む必要があり、表紙部の変形を生じさせる場合があり、時間もかかる。【０００９】特許文献２に開示のブックカバーは、ポケットを形成するために粘着テープを使っっているため、長期間使用していると粘着テープの粘着力が効かなくなって来る場合があり、そうなってしまうとポケット部の形成を保つことができず、永続的な使用が難しいという問題がある。
【課題を解決するための手段】
【００１０】上記課題を解決するため、本発明に係るブックカバーは所定サイズの書籍の表紙部の面積に対応する矩形カバー部（１）と、横方向の両端に表紙か裏表紙のいずれか一方を挿入できるポケット体（２）とを設けたブックカバーで、少なくとも一方のポケット体が、矩形カバー部から表紙部の横方向に延出して形成され、表紙部の横方向長さを越えた位置で表紙部側に折り返し可能な余剰部（３）と、表紙か裏表紙のいずれかの上下両端と折り返された前記余剰部とを狭持係止するために矩形カバー部の上下両端にそれぞれ少なくとも一辺が接合された一対の挟持体（４）から構成されていることを特徴とする。（請求項１）【００１１】本発明において、挟持体が容易に反ることが無い剛性を備えていても良い。（請求項２）【００１２】また、挟持体が表紙部側に押圧するクリップ性を備えていても良い。（請求項３）【００１３】  また、余剰部に折り曲げ誘導線が設けられても良い。（請求項４）【００１４】  また、矩形カバー部に留め具を設けても良い。（請求項５）【００１５】  また、ポケット体の一部にカード収納部を設けても良い。（請求項６）
【発明の効果】
【００１６】請求項１に係る発明は、矩形カバー部から表紙部の横方向に延出して形成され、表紙部の横方向長さを越えた位置で表紙部側に折り返し可能な余剰部を設けたため、この折り返し位置を自在に変えることで、厚みの違う書籍にも対応することが可能である。【００１７】また表紙か裏表紙のいずれかの上下両端を一対の挟持体に上下に差し込んで挟持固定できるため、表紙または裏表紙の上下端が横移動によって擦れる心配がなく、表紙または裏表紙の紙を大きく撓ませる必要も無いため、表紙または裏表紙の変形を生じさせにくく、迅速かつ容易に書籍の表紙または裏表紙を固定できる。【００１８】挟持体は素材と接合方法によって表紙部方向へ恒常的に挟持力が働くため、永続的な装着方法が可能となる。【００１９】請求項２に係る発明は余剰部に折り曲げ誘導線が設けられており、この折り曲げ誘導線を書籍の所定の厚みに対応した間隔で余剰部に配することで、厚みの違う書籍に装着させる際に、容易に厚み調整ができるようになっている。【００２０】また折り曲げ誘導線により折り返し部分が直線に折れて膨らまないため、素材の反発により挟持体から折り返し部が外れることを軽減し、折り返し端の厚みが薄くなる効果もある。【００２１】請求項３に係る発明は、挟持体が容易に反ることが無い剛性を備えているため、挟み込んだ表紙か裏表紙や折り返された余剰部の押圧力が高まり、簡単に外れることを防ぐことができる。【００２２】請求項４に係る発明は挟持体が表紙部側に押圧するクリップ性を備えているため、挟み込んだ表紙か裏表紙や折り返された余剰部が簡単に外れることを防止するとともに、クリップ性を開放することで挟み込んだ表紙か裏表紙や折り返された余剰部を容易に外すことがでる。
【図面の簡単な説明】
【００２３】
【図１】本発明の実施例１に係るブックカバーの展開状態の平面図である。
【図２】本発明の実施例１に係るブックカバーのセット状態の平面図である。。
【図３−１】本発明の実施例１に係るブックカバーの書籍装着説明図１である。
【図３−２】本発明の実施例１に係るブックカバーの書籍装着説明図２である。
【図３−３】本発明の実施例１に係るブックカバーの書籍装着図３である。
【図３−４】本発明の実施例１に係るブックカバーの書籍装着図４である。
【図４】本発明の実施例２に係るブックカバーの書籍セット時の斜視図である。
【発明を実施するための形態】
【００２４】本発明の好適な実施形態について、添付図面に基づいて説明する。
なお、実施形態は以下の形態に限定されるものではなく、本発明の課題を解決し得るものであれば他の態様も可能である。
【実施例１】
【００２５】図１は展開されたブックカバー１０の背面（書籍の表紙部に接触する面）を見た図である。本実施形態に係るブックカバー１０は、書籍を保護または包装するためのものであり、矩形カバー部１によって構成されている。矩形カバー部１は、書籍の表表紙から背表紙を経て裏表紙にわたる表紙部を覆う部材であり、プラスチックシート、紙、布または皮革などの折り返し可能なシート材からなる。【００２６】ブックカバー１０には横方向の両端に表紙と裏表紙を挿入できるポケット体が設けられるが、片端のポケット体２ａは予めポケット体が形成されているため、すぐに書籍の表紙を挿入し収容固定させておくことができる。【００２７】挟持体４ａは矩形カバー部１の上下両端に一対設けられているが、折り返された余剰部３と書籍の表紙または裏表紙を上下に差し込んで狭持係止させるため、薄い素材、例えばプラスチックシート、紙、布または皮革などで形成されても良い。【００２８】また挟持体４ａは表紙部方向へ挟持力が働くよう、矩形カバー部１の上下両端に接合させる際には一定の幅をもって溶着するなどして、挟持体４ａが表紙部と逆方向に容易に開動しないように製造すると良い。【００２９】また挟持体４ａは一定の幅を持たせている。一見、読書時にページをめくる際などで書籍が湾曲すれば折り返された余剰部３が外れやすいように見えるが、実際には書籍の湾曲に合わせて表紙部と一体となって挟持体４ａも湾曲するため、フラット時よりも表紙部方向へ挟持力が高まり、さらに折り返された余剰部３をしっかり挟持固定させる。【００３０】もう片端には矩形カバー部１から横方向に延出して形成され、表紙部の横方向長さを越えた位置で表紙部側に折り返し可能な余剰部があり、この横の長さは装着したい書籍の表紙幅より小さくすることで、折り返したときに余剰部３が書籍の表紙内側に収まり、ポケット体２ｂが綺麗に形成される。【００３１】  また折り曲げ誘導線５は装着したい書籍の想定される幾つかの厚みに対応するように複数設けることで、迅速かつ容易に様々な書籍の厚みに対応させることができる。【００３２】図２はポケット体２ｂをセットした状態の平面図である。片端には予めポケット体が形成されたポケット体２ａが設けられ、もう片端には余剰部３を折り返して挟持体４ａに挟み込むことで形成されたポケット体２ｂが設けられており、書籍の表紙と裏表紙を挿入する両ポケット体が備わったことを示している。なお図では書籍を省いているが、書籍の表紙または裏表紙も一緒に挟持体４ａに挟み込みながらポケット体２ｂを形成したほうが、厚み調整がしやすく望ましい。【００３３】  本実施形態においては、余剰部３にミシン目の折り曲げ誘導線を設けたが、直線に折り曲げを誘導しうるものであれば、如何なるものであってもよく、例えば、型で筋押しした線や印刷された直線であってもよい。【００３４】  図３−１から図３−４まではブックカバーの書籍装着説明図である。【００３５】  図３−１の通り、まず表紙または裏表紙６（この際は判りやすいよう以下裏表紙）をポケット体２ａに挿入して裏表紙を収容固定させる。【００３６】  次に図３−２の通り、表紙または裏表紙６（この際は判りやすいよう以下表紙）を余剰部３方向��捲り、表紙の端に対応した折り曲げ誘導線５を確認する。【００３７】  次に図３−３の通り、挟持体４ａの接合されていない側の片を持ち上げ、表紙を挟み込んだら挟持体４ａを元に戻す。【００３８】  次に図３−３の通り、表紙の端に対応した折り曲げ誘導線５で余剰部３を折り返し、挟持体４ａの接合されていない側の片を持ち上げ、表紙同様挟み込めば装着が完了する。
この一連の流れが本実施形態における理想的な装着方法である。
【実施例２】
【００３９】  図４は狭持体４ａにクリップ性を備えた狭持体４ｂの書籍セット時の斜視図である。
この狭持体４ｂは剛性のある金属やプラスチックなどからなり、取り外しができ、装着時には表紙または裏表紙６と折り返された余剰部３を表紙部側に強く押圧する。これにより形成されたポケット体２ｂが容易に外れることが無い。
【他の実施の態様】
【００４０】  上記の実施形態において、狭持体４ａが矩形カバー部１と別体ではなく一体的に形成されても良い。また余剰部３は表紙部の横方向に延出して形成されればよく、折り返ししやすいように別部材で製造された元を後に一体加工しても良い。
【００４１】  上記説明においては、ポケット体２ａとポケット体２ｂが便宜的に左と右に配置されたが、左右いずれにあっても構わない。
【符号の説明】
【００４２】１    矩形カバー部
２ａ  ポケット体（予めポケット体が形成されているポケット体）
２ｂ  ポケット体（余剰部を折り返し狭持体で固定することで形成されるポケット体）
３    余剰部
４ａ  狭持体
４ｂ  狭持体（クリップ性を備えた狭持体）
５    折り曲げ誘導線
６    表紙または裏表紙
７    書籍
１０  ブックカバー
【図１】
2020082711.tif 000003
【図２】
2020082711.tif 000004
【図３−１】
2020082711.tif 000005
【図３−２】
2020082711.tif 000006
【図３−３】
2020082711.tif 000007
【図３−４】
2020082711.tif 000008
【図４】
2020082711.tif 000009
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
所定サイズの書籍の表紙部の面積に対応する矩形カバー部と、横方向の両端に表紙か裏表紙のいずれか一方を挿入できるポケット体とを設けたブックカバーで、少なくとも一方の前記ポケット体が、前記矩形カバー部から前記表紙部の横方向に延出して形成され、前記表紙部の横方向長さを越えた位置で前記表紙部側に折り返し可能な余剰部と、表紙か裏表紙のいずれかの上下両端と折り返された前記余剰部の上下両端とを狭持係止するために前記矩形カバー部の上下両端にそれぞれ少なくとも一辺が接合された一対の挟持体から構成されていることを特長とするブックカバー。
【請求項２】
請求項１に記載のブックカバーにおいて、前記余剰部に折り曲げ誘導線が設けられたことを特徴とするブックカバー。
【請求項３】
請求項１または請求項２に記載のブックカバーにおいて、前記挟持体が容易に反ることが無い剛性を備えていることを特徴とするブックカバー。
【請求項４】
請求項１または請求項２または請求項３に記載のブックカバーにおいて、前記挟持体が前記表紙部側に押圧するクリップ性を備えていることを特徴とするブックカバー。
【請求項５】
請求項１または請求項２または請求項３に記載のブックカバーにおいて、前記余剰部の少なくとも一部分が容易に反ることの無い剛性を備えていることを特徴とするブックカバー。